(57)【要約】【課題】異物の侵入防止および組み立て作業の容易化の両立を図ること。【解決手段】係止機構は、第１の部材４００から外方に向けて突出する凸部４０２と、凸部４０２を間にして第１の部材４００に対向配置される第２の部材に設けられて凸部４０２に向かって開口する凹部と、を嵌合させることによって第１の部材４００と第２の部材とを相対的に位置決めする位置決め部と、第１の部材４００と第２の部材との間に設けられて凹部と凸部４０２とが嵌合した状態で係合する係合部と、第１の部材４００および第２の部材が当接する方向への第１の部材４００および第２の部材の相対的な変位に伴って凸部４０２を凹部へ誘導する誘導部５０１と、を備えることを特徴とする。【選択図】        図５
2007081919.tif 000002
【特許請求の範囲】
【請求項１】
第１の部材から外方に向けて突出する凸部と、当該凸部を間にして前記第１の部材に対向配置される第２の部材に設けられて前記凸部に向かって開口する凹部と、を嵌合させることによって前記第１の部材と第２の部材とを相対的に位置決めする位置決め部と、
前記第１の部材と前記第２の部材との間に設けられて、前記凹部と凸部とが嵌合した状態で係合する係合部と、
前記第１および第２の部材が当接する方向への前記第１および第２の部材の相対的な変位に伴って前記凸部を前記凹部へ誘導する誘導部と、
を備えることを特徴とする係止機構。
【請求項２】
前記位置決め部は、
前記第１および第２の部材の外郭形状に沿った長手形状を有しており、
前記誘導部は、
前記凸部の長手方向に沿った端部に設けられて、前記第１の部材から突出した先端部ほど前記端部が他端部側へ近づくように傾斜するテーパ面であることを特徴とする請求項１に記載の係止機構。
【請求項３】
前記誘導部は、
前記凸部に設けられて、前記第１の部材から突出した先端部ほど先細りするように傾斜するテーパ面であることを特徴とする請求項１に記載の係止機構。
【請求項４】
前記係合部は、
鈎状の突起部および当該突起を受ける鈎受け部を有し、前記凹部と凸部との嵌合に伴って前記突起部を弾性変形させることによって前記突起部と前記鈎受け部とを係合させることを特徴とする請求項１〜３のいずれか一つに記載の係止機構。
【請求項５】
第１の部材から外方に向けて突出する凸部と当該凸部を間にして前記第１の部材に対向配置される第２の部材に設けられて前記凸部に向かって開口する凹部とを嵌合させることによって前記第１の部材と第２の部材とを相対的に位置決めする位置決め部と、前記第１の部材と前記第２の部材との間に設けられて前記凹部と凸部とが嵌合した状態で係合する係合部と、前記位置決め部に設けられて前記凸部を前記凹部へ誘導する誘導部と、を有する係止機構と、
前記係合部が係合した状態における前記第１の部材と前記第２の部材とによって形成される収容空間部と、
を備えることを特徴とする収容部材。
【発明の詳細な説明】
【技術分野】
【０００１】
この発明は、係止機構および収容部材に関する。
【背景技術】
【０００２】
従来、光電変換により光学像を表す画像データを出力する走査部と、走査部に被写体の光学像を入力する光学系と、走査部の外部インタフェースのコネクタが設けられているフレームと、走査部およびフレームを収容するハウジングと、フレームおよびハウジングに形成されコネクタをハウジングの外側に露出させる開口部とを備える画像読み取り装置において、フレームの開口部とハウジングの開口部とを接続する空間を囲む隔壁をフレームとハウジングとの間に設けるようにした技術がある（たとえば、下記特許文献１。）。
【０００３】
上述した特許文献１に記載された技術では、コネクタの数の増加に伴って組み立てに際しての工程数も増加してしまうため、一方の部材に設けられたリブを、この一方の部材に対向配置される他方の部材に設けられたリブ受け溝に嵌合させることで、２つの部材の相対的な位置決めをおこなうとともに、一方の部材に設けられたツメを他方の部材に設けられたツメ受け部に係合させることで、２つの部材を固定するようにした技術がある。リブおよびリブ受け溝の嵌合と、ツメおよびツメ受け部による係合とを併用することにより、２つの部材の相対的な位置決めをした状態で、これら２つの部材を固定することができる。
【０００４】
【特許文献１】特開２００３−０８７４６１号公報
【発明の開示】
【発明が解決しようとする課題】
【０００５】
しかしながら、上述した技術では、リブおよびリブ受け溝の嵌合およびツメおよびツメ受け部の係合を併用するために組み立て作業が難しく、リブおよびリブ受け溝を精度よく嵌合させることが困難であるという問題がある。この対策として、組み立て作業の簡易化のためにリブを短くした場合、リブおよびリブ受け溝の隙間から埃などの異物が侵入し易くなってしまうという問題がある。
【課題を解決するための手段】
【０００６】
この発明にかかる係止機構は、第１の部材から外方に向けて突出する凸部と、当該凸部を間にして前記第１の部材に対向配置される第２の部材に設けられて前記凸部に向かって開口する凹部と、を嵌合させることによって前記第１の部材と第２の部材とを相対的に位置決めする位置決め部と、前記第１の部材と前記第２の部材との間に設けられて、前記凹部と凸部とが嵌合した状態で係合する係合部と、前記第１および第２の部材が当接する方向への前記第１および第２の部材の相対的な変位に伴って前記凸部を前記凹部へ誘導する誘導部と、を備えることを特徴とする。
【０００７】
したがって、凸部を間にして対向させた第１および第２の部材を、第１および第２の部材が当接する方向に相対的に変位させた場合、誘導部によって凸部が凹部に誘導される。これによって、凸部と凹部とを容易に嵌合させることができ、第１の部材と第２の部材との相対的な位置決めを容易におこなうことができる。
【０００８】
また、この発明にかかる係止機構における前記位置決め部は、前記第１および第２の部材の外郭形状に沿った長手形状を有しており、前記誘導部は、前記凸部の長手方向に沿った端部に設けられて、前記第１の部材から突出した先端部ほど前記端部が他端部側へ近づくように傾斜するテーパ面であることを特徴とする。
【０００９】
したがって、第１および第２の部材とを凸部を間にして対向させた状態で、位置決め部の長手方向においてテーパ面の一部が凹部に対向していれば、第１および第２の部材を、第１および第２の部材が当接する方向に相対的に変位させることで、テーパ面に沿って凸部を凹部内に誘導することができる。これによって、第１および第２の部材の外郭位置を目安に第１および第２の部材を大まかに位置合わせした状態で、第１および第２の部材を、第１および第２の部材が当接する方向に相対的に変位させるだけで、第１および第２の部材の相対的な位置決めを容易におこなうことができる。
【００１０】
また、この発明にかかる係止機構における前記誘導部は、前記凸部に設けられて、前記第１の部材から突出した先端部ほど先細りするように傾斜するテーパ面であることを特徴とする。
【００１１】
したがって、第１および第２の部材を凸部を間にして対向させた状態で、テーパ面の一部が凹部に対向していれば、第１および第２の部材を、第１および第２の部材が当接する方向に相対的に変位させることで、テーパ面に沿って凸部を凹部内に誘導することができる。これによって、第１および第２の部材を大まかに位置合わせした状態で、第１および第２の部材を、第１および第２の部材が当接する方向に相対的に変位させるだけで、第１の部材と第２の部材との相対的な位置決めを容易におこなうことができる。
【００１２】
また、この発明にかかる係止機構における前記係合部は、鈎状の突起部および当該突起を受ける鈎受け部を有し、前記凹部と凸部との嵌合に伴って前記突起部を弾性変形させることによって前記突起部と前記鈎受け部とを係合させることを特徴とする。
【００１３】
したがって、第１および第２の部材を、第１および第２の部材が互いに接近する方向へ相対的に付勢することで、凸部と凹部とを嵌合させるとともに、係合部における突起部と鈎受け部とを係合させることができる。これによって、第１および第２の部材を大まかに位置合わせした状態で、第１および第２の部材を、第１および第２の部材が当接する方向に相対的に変位させるだけで、第１および第２の部材の相対的な位置決めと、位置決めされた第１および第２の部材の固定とを容易におこなうことができる。
【００１４】
また、この発明にかかる収容部材は、第１の部材から外方に向けて突出する凸部と当該凸部を間にして前記第１の部材に対向配置される第２の部材に設けられて前記凸部に向かって開口する凹部とを嵌合させることによって前記第１の部材と第２の部材とを相対的に位置決めする位置決め部と、前記第１の部材と前記第２の部材との間に設けられて前記凹部と凸部とが嵌合した状態で係合する係合部と、前記位置決め部に設けられて前記凸部を前記凹部へ誘導する誘導部と、を有する係止機構と、前記係合部が係合した状態における前記第１の部材と前記第２の部材とによって形成される収容空間部と、を備えることを特徴とする。
【００１５】
したがって、凸部を間にして対向させた第１および第２の部材を、第１および第２の部材が当接する方向に相対的に変位させた場合、誘導部によって凸部が凹部に誘導された状態で、凹部と凸部との嵌合に伴って係合部が係合することで、第１および第２の部材によって収容空間部が形成される。これによって、収容部材を容易に形成することができる。
【発明を実施するための最良の形態】
【００１６】
以下に添付図面を参照して、この発明にかかる係止機構および収容部材の好適な実施の形態を詳細に説明する。この実施の形態は、係止機構および収容部材を備える複合機１００への適用例を示す。
【００１７】
図１は、この発明の実施の形態にかかる複合機の外観を示す斜視図である。まず、この発明の実施の形態にかかる係止機構および収容部材を備えた複合機１００の外観について図１を参照して説明する。図１に示すように、複合機１００は、スキャナ部１１０と、プリンタ部１２０と、操作パネル１５０とを備えている。スキャナ部１１０は、原稿の画像（図形、テキスト、写真など）を光学的に読み取り、光学的に読み取った画像を光電変換するなどして画像データを生成する。
【００１８】
図２は、複合機１００の内部構造を示す縦断側面図である。つぎに、複合機１００の内部構造について図２を参照して説明する。図２に示すように、スキャナ部１１０は、収容部材としてのスキャナケース１１１と、透過型原稿用光源ユニット（以下、「ＴＰＵユニット」という）１１２と、原稿台１１３と、スキャナキャリッジ１１４と、キャリッジガイド１１５とを備えている。スキャナケース１１１は、アッパーケース（図４参照）およびロアケース（図６参照）によって構成されており、図示しないヒンジを介して、プリンタケース１２１に対して回動可能に連結されている。スキャナケース１１１内には、原稿に記載されたデータを光学的に読み取るための各部材が格納されている。
【００１９】
ＴＰＵユニット１１２は、原稿台１１３に載置された原稿を、上方から覆うようにして原稿台１１３に対して押さえつける。ＴＰＵユニット１１２には、原稿を押さえつける部分に、原稿台１１３とほぼ同じ大きさの板状の図示しない保護マットが設けられている。ＴＰＵユニット１１２は、図示しないヒンジを介して、スキャナケース１１１に対して回動可能に連結されている。
【００２０】
原稿台１１３は、光学的に透明なガラス材料などを用いて形成された板状部材であり、スキャナケース１１１の上部に形成された図示しない開口部を閉塞するように固定されている。原稿台１１３には、ユーザによって原稿が載置される。なお、原稿は、紙などを用いた不透過型原稿であっても、透明なフィルムなどの用いた透過型原稿であってもよい。
【００２１】
スキャナキャリッジ１１４は、スキャナケース１１１の内部である収容空間部に収容されており、原稿の画像を光学的に読み取るための各部材を搭載している。スキャナキャリッジ１１４は、副走査方向を長手方向として配置されたキャリッジガイド１１５に沿って往復動可能に設けられている。スキャナキャリッジ１１４は、たとえば、モータおよびモータに連結された駆動ベルトなどによって構成される図示しない駆動機構によって往復動される。
【００２２】
なお、図示を省略するが、スキャナキャリッジ１１４には、原稿の画像を光学的に読み取るための各部材として、撮像素子としてのリニアイメージセンサを実装した走査回路基板、レンズ、ミラー、光源などが搭載されている。スキャナキャリッジ１１４に搭載された光源から原稿に向けて出射された光は、ミラーおよびレンズを介してリニアイメージセンサの受光面に結像される。
【００２３】
なお、リニアイメージセンサとは、受光面に結像された光学像を光電変換して、受光素子ごとの受光量に応じた電気信号を出力する素子であり、フォトダイオードなどの受光素子が主走査方向に直線状に並ぶ姿勢で走査回路基板に搭載されることによって形成されている。
【００２４】
つぎに、プリンタ部１２０について説明する。プリンタ部１２０は、複合機１００に対して、ネットワークを介して接続されたＰＣ（パーソナルコンピュータ）などから送信された画像データに基づいて、用紙に画像を形成する。図２に示すように、プリンタ部１２０は、プリンタケース１２１と、ＡＳＦユニット１３０と、印刷機構部（図３参照）とによって構成されている。ＡＳＦユニット１３０は、給紙口１３０Ａの近傍に設けられ、給紙ローラ１３１と、紙支持板１３２と、給紙板１３３と、を備えている。
【００２５】
プリンタケース１２１には、スキャナケース１１１に向けて開口する開口部１２１Ａが設けられている。開口部１２１Ａは、スキャナケース１１１をプリンタケース１２１に対して離反する方向に回動させることによって、露出させることが可能であり、たとえば、スキャナケース１１１の内部に格納された各部材をメンテナンスする際に露出される。プリンタケース１２１内には、画像データに基づいて用紙に画像を形成するための各部材が格納されている。
【００２６】
図３は、ＡＳＦユニット１３０および印刷機構部を示す縦断側面図である。つぎに、ＡＳＦユニット１３０および印刷機構部について図３を参照して説明する。上述したＡＳＦユニット１３０において、給紙ローラ１３１は、給紙口１３０Ａの近傍において給紙方向に回転可能にプリンタケース１２１に軸支されている。給紙ローラ１３１は、ＡＳＦユニット１３０に設けられたモータまたは図示しないモータからの駆動力を受けて回転することによって、給紙板１３３により押し出された用紙を給紙口１３０Ａからプリンタケース１２１の内部に引き込み、後述する印刷ヘッド１４４とプラテン１４５との間に搬送する。
【００２７】
紙支持板１３２は、給紙板１３３の上方に形成された板状の部材であり、紙支持板１３２の下端に形成されたヒンジによって給紙板１３３の上端に開閉可能に連結されている。紙支持板１３２は、図２および図３に示すように、給紙する時には、前面が開放された状態で、給紙板１３３の前面の傾斜角度と紙支持板１３２の前面の傾斜角度とが一致する位置に係止される。紙支持板１３２は、用紙束１２２の背面を支持する。
【００２８】
紙支持板１３２は、給紙しない時には、紙支持板１３２の下端に形成されたヒンジを軸にして、複合機１００の正面側に向かって折り畳むことができる。このように折り畳まれた紙支持板１３２は、紙支持板１３２の上方の前面が、ＴＰＵユニット１１２と当接することによって係止され、これによって、給紙口１３０Ａにつながる空間が閉塞される。給紙板１３３は、用紙束１２２を給紙口１３０Ａに供給できる位置に設けられた板状の部材であり、用紙束１２２を保持する。
【００２９】
紙支持板１３２は、給紙しない時には、紙支持板１３２の下端に形成されたヒンジを軸にして、複合機１００の正面側に向かって折り畳むことができる。このように折り畳まれた紙支持板１３２は、紙支持板１３２の上方の前面が、ＴＰＵユニット１１２と当接することによって係止され、これによって、給紙口１３０Ａにつながる空間が閉塞される。給紙板１３３は、用紙束１２２を給紙口１３０Ａに供給できる位置に設けられた板状の部材であり、用紙束１２２を保持する。給紙板１３３は、モータの回転に伴って揺動し、用紙束１２２の下端を給紙口１３０Ａ側に押し出すことによって、給紙口１３０Ａに用紙を滑り落とす。
【００３０】
印刷機構部１４０は、プリンタキャリッジ１４１、インクカートリッジ１４２、ガイドロッド１４３、印刷ヘッド１４４、プラテン１４５、排紙ローラ１４６、スタッカ１４７などを備えている。プリンタキャリッジ１４１は、内部にインクカートリッジ１４２を脱着自在に格納する。プリンタキャリッジ１４１は、印刷機構部１４０に設けられたモータによって駆動されるベルトによって係止されており、モータの回転に伴って、ベルトを介
してガイドロッド１４３に支持されながらガイドロッド１４３の軸方向に往復動する。
【００３１】
インクカートリッジ１４２は、各色のインクが貯蔵された容器であり、プリンタキャリッジ１４１に脱着自在に格納される。インクカートリッジ１４２に貯蔵されたインクは、インク通路を通じて、印刷ヘッド１４４のノズルに供給される。ガイドロッド１４３は、プリンタケース１２１に固定された棒状の部材であり、プリンタキャリッジ１４１を複合機１００の横幅方向に摺動自在に支持する。
【００３２】
印刷ヘッド１４４は、プリンタキャリッジ１４１の下方に設けられ、インクジェット方式によりインクカートリッジ１４２から供給されたインクを用紙に定着させる。印刷ヘッド１４４には、インクを吐出するノズル、インク通路などが備えられている。印刷ヘッド１４４はプリンタキャリッジ１４１とともにガイドロッド１４３の軸方向に往復動する。なお、この実施の形態においてはインクジェット方式の印刷手段を用いているが、レーザなどを用いた静電画像形成方式、昇華方式、インパクト方式などを用いてもよい。
【００３３】
プラテン１４５は、印刷ヘッド１４４の下方に位置し、上方に平面を有する棒状の部材であり、プリンタケース１２１に固定されている。プラテン１４５の上方に形成された平面は、用紙に摺接し、印刷ヘッド１４４から下方にわずかに離れた位置に用紙を位置決めする。
【００３４】
排紙ローラ１４６は、排紙口１４０Ａの近傍において排紙方向に回転可能に設けられている。排紙ローラ１４６は、印刷機構部１４０に設けられたモータなどの駆動により回転することによって、印刷がおこなわれた用紙を引き出し、排紙口１４０Ａからプリンタケース１２１の外部に排出する。排紙ローラ１４６によってプリンタケース１２１の外部に排出された用紙は、プリンタケース１２１に揺動自在に支持されたスタッカ１４７の上面に堆積される。
【００３５】
操作パネル１５０は、プリンタケース１２１の正面側に設けられており、ユーザによって操作されることによって、複合機１００に対する画像読み取り処理、印刷処理などの各種の処理要求を受け付ける。操作パネル１５０には、液晶パネル１５１、複数の押しボタン１５２などが設けられている。液晶パネル１５１には、設定メニュー、操作メニュー、処理状況などが表示される。ユーザは処理要求に応じた押しボタン１５２を押すことによって、複合機１００に対して処理を要求する。
【００３６】
図４は、アッパーケースを示す斜視図である。つぎに、スキャナケース１１１におけるアッパーケースについて図４を参照して詳細に説明する。図４に示すように、アッパーケース４００は、上述した原稿台１１３がはめ込まれる開口部４０１を有している。アッパーケース４００には、上述したプリンタケース１２１に連結される側とは反対側の辺に、ロアケース（図６参照）に向けて突出するリブ４０２およびツメ４０３が設けられている。リブ４０２とツメ４０３は、アッパーケース４００の外郭形状に沿って交互に設けられている。アッパーケース４００には、リブ４０２およびツメ４０３と平行に、ロアケース（図６参照）に向けて突出するガイドリブ（図５参照）が設けられている。
【００３７】
図５は、アッパーケース４００を一部拡大して示す斜視図である。つぎに、リブ４０２およびツメ４０３について図５を参照してさらに詳細に説明する。図５に示すように、リブ４０２は、アッパーケース４００の外郭形状に沿った長手形状を有している。各リブ４０２において、長手方向に沿った端部にはテーパ面５０１が設けられている。テーパ面５０１は、各リブ４０２の長手方向両端部に設けられている。
【００３８】
リブ４０２の長手方向一端部に設けられたテーパ面５０１は、他端部に設けられたテーパ面５０１に対して、リブ４０２の先端部ほど近づくように傾斜している。すなわち、テーパ面５０１は、リブ４０２の長手方向において、アッパーケース４００から突出した先端部ほど先細りするように傾斜しており、リブ４０２の長手方向における寸法は、アッパーケース４００側ほど長く、アッパーケース４００から突出した先端部ほど短くなっている。これにより、リブ４０２は、リブ４０２の長手方向に直交する方向から見た場合に、台形となる形状を有している。
【００３９】
また、リブ４０２において、開口部４０１とは反対側には、リブ４０２の先端部ほど先細りするように傾斜するテーパ面５０２が設けられている。ツメ４０３は、アッパーケース４００から突出した先端部が鈎状に屈曲した形状を有している。リブ４０２およびツメ４０３の近傍には、リブ４０２の長手方向に沿って延出するガイドリブ５０３が設けられている。
【００４０】
図６は、ロアケースを示す斜視図である。つぎに、スキャナケース１１１におけるロアケースについて図６を参照して詳細に説明する。図６に示すように、ロアケース６００は、アッパーケース４００に向けて開口する開口部６０１を備えた箱型形状を有している。ロアケース６００には、上述したアッパーケース４００に設けられたリブ４０２に向けて開口するリブ受け溝６０２と、ツメ４０３に対向する位置に設けられたツメ受け部６０３とを有している。
【００４１】
図７は、ロアケース６００を一部拡大して示す斜視図である。つぎに、リブ受け溝６０２およびツメ受け部６０３について図７を参照してさらに詳細に説明する。図７に示すように、リブ受け溝６０２は、ロアケース６００の外郭形状に沿った長手形状を有している。ツメ受け部６０３は、ツメ受け部６０３の両側に位置するリブ受け溝６０２の間に掛け渡されて、ツメ４０３における鈎状の先端部が係合される被係合部７０１を有している。
【００４２】
図８は、スキャナケース１１１の一部を示す断面図（その１）である。上述したリブ４０２およびリブ受け溝６０２は、アッパーケース４００とロアケース６００とを組み合わせてスキャナケース１１１が形成された場合に嵌合する。図８から分かるように、リブ受け溝６０２は、アッパーケース４００側ほど拡開するように傾斜する傾斜面８０１、８０２を有している。
【００４３】
なお、リブ受け溝６０２において、リブ受け溝６０２の長手方向に沿って両端に位置する壁面は、アッパーケース４００とロアケース６００との対向方向に平行である。リブ４０２およびリブ受け溝６０２が嵌合することによって、アッパーケース４００とロアケース６００との対向方向に直交する面内における、アッパーケース４００とロアケース６００との相対的な位置決めがおこなわれる。この実施の形態においては、リブ４０２およびリブ受け溝６０２によって位置決め部が実現される。
【００４４】
図９は、スキャナケース１１１の一部を示す断面図（その２）である。上述したツメ４０３およびツメ受け部６０３は、リブ４０２およびリブ受け溝６０２が嵌合した状態で係合する。図９から分かるように、ツメ４０３およびツメ受け部６０３は、ツメ４０３における鈎状の先端部を、ツメ受け部６０３における被係合部７０１に係合させることによって係合する。ツメ４０３およびツメ受け部６０３が係合することによって、アッパーケース４００とロアケース６００との対向方向における、アッパーケース４００とロアケース６００との固定がおこなわれる。この実施の形態においては、ツメ４０３およびツメ受け部６０３によって係合部が実現される。
【００４５】
つぎに、アッパーケース４００とロアケース６００とを組み合わせてスキャナケース１１１を形成する手順について説明する。まず、リブ４０２およびリブ受け溝６０２を対向させた状態で、アッパーケース４００およびロアケース６００を、アッパーケース４００およびロアケース６００が互いに接近する方向へ相対的に変位させる。具体的には、たとえば、作業台などの上に開口部６０１を上方に向けて載置されたロアケース６００に対して、アッパーケース４００を上側から被せ、この状態でアッパーケース４００をロアケース６００に向けて押し当てる。
【００４６】
このとき、テーパ面５０１の一部がリブ受け溝６０２に対向していれば、テーパ面５０１に沿わせてリブ４０２をリブ受け溝６０２に滑り込ませることができる。これによって、リブ４０２の長手方向において、リブ４０２とリブ受け溝６０２との位置が多少ずれている場合にも、リブ４０２をリブ受け溝６０２内に誘導することができる。
【００４７】
同様に、テーパ面５０２の一部がリブ受け溝６０２に対向していれば、テーパ面５０２に沿わせてリブ４０２をリブ受け溝６０２に滑り込ませることができる。これによって、リブ４０２の長手方向に直交する方向において、リブ４０２とリブ受け溝６０２との位置が多少ずれている場合にも、リブ４０２をリブ受け溝６０２内に誘導することができる。
【００４８】
そして、リブ受け溝６０２内に誘導されたリブ４０２の先端部は、傾斜面８０１あるいは８０２に沿ってリブ受け溝６０２の奥へ誘導され、リブ４０２およびリブ受け溝６０２が嵌合する。これによって、アッパーケース４００とロアケース６００との対向方向に直交する面内における、アッパーケース４００とロアケース６００との相対的な位置決めをおこなうことができる。
【００４９】
一方、ツメ４０３およびツメ受け部６０３は、リブ４０２がリブ受け溝６０２内に誘導されることに伴って、アッパーケース４００とロアケース６００との対向方向に沿った位置合わせがなされる。この状態から、アッパーケース４００とロアケース６００との対向方向において、アッパーケース４００とロアケース６００とが当接する方向へさらに変位すると、被係合部７０１に当接したツメ４０３が、自身の弾性によって、被係合部７０１を迂回するように変形する。
【００５０】
ツメ４０３は、リブ４０２がリブ受け溝６０２に嵌合した段階で、自身の弾性によって元の形状に復帰し、被係合部７０１に係合する。これによって、アッパーケース４００とロアケース６００との対向方向における、アッパーケース４００とロアケース６００との固定をおこなうことができる。
【００５１】
上述したように、この実施の形態によれば、上述した構成を有しているため、リブ４０２を間にして対向させたアッパーケース４００およびロアケース６００を、アッパーケース４００およびロアケース６００が当接する方向に相対的に変位させることで、リブ４０２をリブ受け溝６０２へ誘導し、リブ４０２とリブ受け溝６０２とを容易に嵌合させることができる。これによって、リブ４０２の高さを確保したまま、アッパーケース４００およびロアケース６００の相対的な位置決めを容易におこなうことができるので、スキャナケース１１１内への異物の侵入を防止しつつ、スキャナケース１１１の組み立てに際しての量産性の向上を図ることができる。
【００５２】
また、この実施の形態によれば、上述した構成を有しているため、リブ４０２の長手方向においてテーパ面５０１の一部をリブ受け溝６０２に対向させた状態で、アッパーケース４００およびロアケース６００を、アッパーケース４００およびロアケース６００が当接する方向に相対的に変位させることで、テーパ面５０１に沿ってリブ４０２をリブ受け溝６０２内に誘導することができる。
【００５３】
したがって、アッパーケース４００およびロアケース６００の外郭位置を目安に、アッパーケース４００およびロアケース６００を大まかに位置合わせした状態で、アッパーケース４００およびロアケース６００を、アッパーケース４００およびロアケース６００が当接する方向に相対的に変位させるだけで、リブ４０２およびリブ受け溝６０２を容易に嵌合させることができる。これによって、リブ４０２の高さを確保したまま、アッパーケース４００およびロアケース６００の相対的な位置決めを容易におこなうことができるので、スキャナケース１１１内への異物の侵入を防止しつつ、スキャナケース１１１の組み立てに際しての量産性の向上を図ることができる。
【００５４】
さらに、この実施の形態によれば、上述した構成を有しているため、テーパ面５０１を設けることによって、リブ４０２の長手方向に沿ってツメ４０３の周囲に空間を確保することができる。したがって、ツメ４０３およびツメ受け部６０３の係合に際してのツメ４０３の弾性変形を妨げることがなく、ツメ４０３およびツメ受け部６０３の係合をスムーズにおこなわせることができる。これによって、アッパーケース４００およびロアケース６００の固定を容易におこなうことができ、リブ４０２の高さを確保したまま、アッパーケース４００およびロアケース６００の相対的な位置決めを容易におこなうことができるので、スキャナケース１１１内への異物の侵入を防止しつつ、スキャナケース１１１の組み立てに際しての量産性の向上を図ることができる。
【００５５】
また、この実施の形態によれば、上述した構成を有しているため、リブ４０２の長手方向に直行する方向においてテーパ面５０２の一部をリブ受け溝６０２に対向させた状態で、アッパーケース４００およびロアケース６００を、アッパーケース４００およびロアケース６００が当接する方向に相対的に変位させることで、テーパ面５０２に沿ってリブ４０２をリブ受け溝６０２内に誘導することができる。
【００５６】
したがって、アッパーケース４００およびロアケース６００を大まかに位置合わせした状態で、アッパーケース４００およびロアケース６００を、アッパーケース４００およびロアケース６００が当接する方向に相対的に変位させるだけで、リブ４０２およびリブ受け溝６０２を容易に嵌合させることができる。これによって、リブ４０２の高さを確保したまま、アッパーケース４００およびロアケース６００の相対的な位置決めを容易におこなうことができるので、スキャナケース１１１内への異物の侵入を防止しつつ、スキャナケース１１１の組み立てに際しての量産性の向上を図ることができる。
【００５７】
また、この実施の形態によれば、上述した構成を有しているため、アッパーケース４００およびロアケース６００をリブ４０２を間にして対向させた状態で、アッパーケース４００およびロアケース６００を、アッパーケース４００およびロアケース６００が当接する方向に相対的に変位させることで、リブ４０２およびリブ受け溝６０２を嵌合させるとともに、ツメ４０３およびツメ受け部６０３を係合させることができる。
【００５８】
したがって、アッパーケース４００およびロアケース６００の相対的な位置決めと、位置決めされたアッパーケース４００およびロアケース６００の固定とを、リブ４０２の高さを確保したままの状態でも容易におこなうことができるので、スキャナケース１１１内への異物の侵入を防止しつつ、スキャナケース１１１の組み立てに際しての量産性の向上を図ることができる。
【００５９】
また、この実施の形態によれば、上述した構成を有しているため、リブ４０２を間にして対向させたアッパーケース４００およびロアケース６００を、アッパーケース４００およびロアケース６００が当接する方向に相対的に変位させることで、リブ４０２とリブ受け溝６０２とを容易に嵌合させ、リブ４０２とリブ受け溝６０２との嵌合に伴ってツメ４０３およびツメ受け部６０３を係合させることができる。これによって、リブ４０２の高さを確保したまま、アッパーケース４００およびロアケース６００の相対的な位置決めを容易におこなうことができるので、スキャナケース１１１内への異物の侵入を防止しつつ、スキャナケース１１１の組み立てに際しての量産性の向上を図ることができる。
【図面の簡単な説明】
【００６０】
【図１】この発明の実施の形態にかかる複合機の外観を示す斜視図。
【図２】複合機の内部構造を示す縦断側面図。
【図３】ＡＳＦユニットおよび印刷機構部を示す縦断側面図。
【図４】アッパーケースを示す斜視図。
【図５】アッパーケースを一部拡大して示す斜視図。
【図６】ロアケースを示す斜視図。
【図７】ロアケースを一部拡大して示す斜視図。
【図８】スキャナケースの一部を示す断面図（その１）。
【図９】スキャナケースの一部を示す断面図（その２）。
【符号の説明】
【００６１】
４００  アッパーケース、４０２  リブ、５０１  テーパ面、５０２  テーパ面
【図１】
2007081919.tif 000003
【図２】
2007081919.tif 000004
【図３】
2007081919.tif 000005
【図４】
2007081919.tif 000006
【図５】
2007081919.tif 000007
【図６】
2007081919.tif 000008
【図７】
2007081919.tif 000009
【図８】
2007081919.tif 000010
【図９】
2007081919.tif 000011